(57)【要約】  薬物送達システムは、ハウジング（１）及びカートリッジ（２）を含む薬物送達デバイス（２２）を含む。薬物送達デバイス（２２）は、近位端及び遠位端を有する。薬物送達システムはさらに、薬物送達デバイス（２２）に取り付け可能なニードルアセンブリ（１０）を含む。ニードルアセンブリ（１０）及び薬物送達デバイス（２２）は、ニードルアセンブリ（１０）が薬物送達デバイス（２２）に取り付けられるとき、カートリッジ（２）がハウジング（１）に対して近位方向に移動するように構成される。
2013506462.tif 000002
【特許請求の範囲】
【請求項１】
薬物送達システムであって：
近位端及び遠位端を有し、ハウジング（１）及びカートリッジ（２）を含む薬物送達デバイス（２２）、及び
薬物送達デバイス（２２）に取り付け可能なニードルアセンブリ（１０）、を含んでなり、
ニードルアセンブリ（１０）及び薬物送達デバイス（２２）は、ニードルアセンブリ（１０）が薬物送達デバイス（２２）に取り付けられたとき、カートリッジ（２）がハウジング（１）に対して近位方向に移動するように構成される、上記薬物送達システム。
【請求項２】
ニードルアセンブリ（１０）及び薬物送達デバイス（２２）は、ニードルアセンブリ（１０）が薬物送達デバイス（２２）に取り付けられたとき、ハウジング（１）に対して遠位方向へのカートリッジ（２）の動きが阻止されるように構成される、請求項１に記載の薬物送達システム。
【請求項３】
薬物送達デバイス（２２）はピストンロッド（５）を含み、そしてカートリッジ（２）は栓（４）を含み、カートリッジ（２）は、ピストンロッド（５）に対して可動であることにより、ニードルアセンブリ（１０）が薬物送達デバイス（２２）に取り付けられたとき、栓（４）がピストンロッド（５）と接触する、請求項１又は２に記載の薬物送達システム。
【請求項４】
ハウジング（１）、カートリッジ（２）、及びハウジング（１）及びカートリッジ（２）の少なくとも１つの遠位部分に取り付けられる保護部材（７）を含んでなる薬物送達デバイス（２２）であって、保護部材（７）がプライミング工程の間又はプライミング工程後に取り外されるように構成される、上記薬物送達デバイス（２２）。
【請求項５】
保護部材（７）が、ハウジング（１）及びカートリッジ（２）の少なくとも１つの連結手段（９）と解除可能に係合される係合手段（８）を含む、請求項４に記載の薬物送達デバイス（２２）。
【請求項６】
連結手段（８）がハウジング（１）の開口部（２７）を含み、そして係合手段（８）がハウジング（１）の開口部（２７）の半径方向内側に伸びるフィンガ（２６）を含む、請求項５に記載の薬物送達デバイス（２２）。
【請求項７】
薬物送達デバイス（２２）に取り付けられるように構成されるニードルアセンブリ（１０）であって、そのニードルアセンブリ（１０）は、薬物送達デバイス（２２）に取り付け可能なニードルハブ（１４）、及びカニューレ（１５）を含むニードルユニット（１３）を含んでなり、そのニードルユニット（１３）は、ニードルハブ（１４）に解除可能に連結可能である、上記ニードルアセンブリ（１０）。
【請求項８】
ニードルアセンブリ（１０）が、少なくとも部分的にニードルユニット（１３）及びニードルハブ（１４）を覆い、ニードルハブ（１４）が取り付けられる間ニードルユニット（１３）及びニードルハブ（１４）を保持するために適したカバー（１１）を含む、請求項７に記載のニードルアセンブリ（１０）。
【請求項９】
ニードルハブ（１４）及びニードルユニット（１３）は、ねじ連結される、請求項７又は８に記載のニードルアセンブリ（１０）。
【請求項１０】
カニューレ（１５）を通して投与される流体を捕捉するために適した薬物捕捉手段（２１）を含んでなる、請求項７〜９のいずれか１項に記載のニードルアセンブリ（１０）。
【請求項１１】
ニードルアセンブリ（１０）は、ハウジング（１）、及びニードルアセンブリ（１０）が取り付けられたときハウジング（１）に対して近位方向に動くカートリッジ（２）を含んでなる薬物送達デバイス（２２）に取り付け可能である、請求項７〜１０のいずれか１項に記載のニードルアセンブリ（１０）。
【請求項１２】
ニードルハブ（１４）は、薬物送達デバイス（２２）と係合するように構成された取り付け手段（１６）を含む、請求項１１に記載のニードルアセンブリ（１０）。
【請求項１３】
請求項４〜６のいずれか１項に記載の薬物送達デバイス（２２）に取り付け可能な、請求項７〜１２のいずれか１項に記載のニードルアセンブリ（１０）。
【請求項１４】
ニードルアセンブリ（１０）の薬物送達デバイス（２２）への取り付け中に、保護部材（７）を取り外すように構成される連結解除手段を含んでなる、請求項１３に記載のニードルアセンブリ（１０）。
【請求項１５】
ニードルアセンブリ（１０）が薬物送達デバイス（２２）に取り付けられるとき、少なくとも部分的に保護部材（７）を受けるように構成される保持手段を含んでなる、請求項１３又は１４に記載のニードルアセンブリ（１０）。
【請求項１６】
保持手段が、取り外された保護部材（７）を保持するのに適した、請求項１５に記載のニードルアセンブリ（１０）。
【請求項１７】
カバー（１１）が保持手段を含む、請求項１５又は１６に記載のニードルアセンブリ（１０）。
【請求項１８】
ニードルアセンブリ（１０）が薬物送達デバイス（２２）に取り付けられるとき、保護部材（７）の係合手段（８）を、連結手段（９）との係合から外すように構成される解除手段を含んでなる、請求項１５〜１７のいずれか１項に記載のニードルアセンブリ（１０）。
【請求項１９】
解除手段が、ニードルハブ（１４）を薬物送達デバイス（２２）に連結させるように構成されるフィンガを含む、請求項１８に記載のニードルアセンブリ（１０）。
【請求項２０】
ハウジング（１）、ピストンロッド（５）及び栓（４）を備えたカートリッジ（２）を含む薬物送達デバイス（２２）をプライミングする方法であって、ニードルアセンブリ（１０）を薬物送達デバイス（２２）に取り付け、それによってカートリッジ（２）をハウジング（１）に対して近位方向に動かすことにより、栓（４）がピストンロッド（５）に接触する工程を含む、上記方法。
【発明の詳細な説明】
【技術分野】
【０００１】
薬物送達デバイスは、薬物をカートリッジからカニューレを経由して送達するように作動する。薬物送達デバイスの駆動機構は、所定の投与量が送達されるように、栓をカートリッジ内に押し込む。
【背景技術】
【０００２】
投与量は、可変でも又は固定でもよい。薬物送達デバイス又はその部品は使い捨て又は再使用可能であり得る。薬物送達デバイスが組み立てられる又は薬物送達デバイスの部品、例えばカートリッジが交換されるとき、駆動機構の部品は、カートリッジ又は薬物送達デバイスのハウジングに対して所定の位置に置かれなくてもよい。その部品が、所定の位置に置かれるなら、その薬物送達デバイスが組み立て後初めて使用されるとき、それは、所定の投与量が送達されることを確実にする。換言すれば、正確な投与量の送達を確保するために互いに接触していなければならない薬物送達デバイスの部品間に内部ギャップがあってもよい。そのギャップは、全ての組み立てられた部品に関する許容範囲の結果であり、そして組み立てられたデバイスに栓を事前装填しないための必要条件であり、その理由は、事前装填はカートリッジ内の薬物を加圧するからである。
【０００３】
プライミング操作は、駆動機構の部品が他の部品に対して所定の位置に移動することを確認するために行われる。
【０００４】
薬物送達デバイスに不慣れなユーザーは、最初の投与量を投与する前に、彼らの薬物送達デバイスのプライミングに失敗又は不正確なプライミングをする可能性がある。もしこれが起きると、ユーザーは、プライミングの液体を注射する、即ち薬物の正確な投与量が送達されないことになり得る。
【発明の概要】
【発明が解決しようとする課題】
【０００５】
本発明の目的は、薬物送達システム、薬物送達デバイス、ニードルアセンブリ及びプライミングする前の薬物をユーザーが投与することを防止する方法を提供することである。
【課題を解決するための手段】
【０００６】
この目的のため、ハウジング及びカートリッジを含む薬物送達デバイスを含む薬物送達システムが提供される。薬物送達デバイスは、近位端及び遠位端を有する。薬物送達システムはさらに、薬物送達デバイスに取り付け可能なニードルアセンブリを含む。ニードルアセンブリ及び薬物送達デバイスは、ニードルアセンブリが薬物送達デバイスに取り付けられるとき、ハウジングに対して近位方向に移動するように構成される。
【０００７】
ハウジング、ピストンロッド及び栓の付いたカートリッジを含む薬物送達デバイスをプライミングする方法は、次の工程を含む。ニードルアセンブリは薬物送達デバイスに取り付けられ、それによってカートリッジはハウジングに対して近位方向に移動し、その結果栓がピストンロッドに接触する。
【０００８】
ニードルアセンブリはプライミングツールの働きをする。薬物送達デバイスは、薬物送達デバイスのニードルアセンブリが取り付けられる間に、ニードルアセンブリによってプライミングされる。ニードルアセンブリは、カートリッジを薬物送達デバイスの駆動機構に向けて押すのに好適であり、それによってカートリッジと薬物送達デバイスの駆動機構の間に位置し得るギャップが埋められる。薬物送達システム及びその方法は、ユーザーがプライミング流体を注射することを防止し、彼又は彼女に使用前に薬物送達デバイスを正しくプライミングさせようとする。
【０００９】
薬物送達デバイスは、カートリッジに入った１つ又はそれ以上の投与量の薬物の送達に好適である。投与量は、固定又は可変であってもよい。薬物送達デバイスは、注入に好適な注射器型であればよい。或いは、薬物送達デバイスは、例えば試料トレーにピペッティングするために使われてもよい。薬物送達デバイスは、再使用可能又は使い捨てである。１つの実施態様では、薬物送達デバイスは、ペン型の薬物送達デバイスである。ペン型の薬物送達デバイスは、管状又は非管状の細長い形態を有する。１つの実施態様は、主に楕円の形をしている。代りの実施態様は、主に立方体である。
【００１０】
ハウジングは、外部又は内部ハウジング部品を含み、それらは薬物送達デバイスの取り扱いを安全、正確、そして快適にできるように設計される。ハウジングは、単一又は複数部品の構成材であればよい。ハウジングは、薬物を入れるように構成されたカートリッジを含む。カートリッジは、ハウジングの外側部分又は内側部分の部品に固定又は係合されればよい。薬物の多数の投与量がカートリッジから投与されればよい。ほかのカートリッジの実施態様は、単回投与の送達に好適である。
【００１１】
ニードルアセンブリは、カニューレを含む。ニードルアセンブリは、カートリッジがハウジングに係合されるとき、プライミング工程中に薬物が送達されるように、プライミング作業が行われる間取り付けられる。プライミングの投与量は、カートリッジが駆動機構に向けて押されたとき、カニューレを通して送達されればよい。
【００１２】
１つの実施態様では、ニードルアセンブリ及び薬物送達デバイスは、ニードルアセンブリが薬物送達デバイスに取り付けられているとき、ハウジングに対して遠位方向へのカートリッジの移動は阻止されるように構成される。取り付けられたニードルアセンブリは、カートリッジを駆動機構と接触する位置に係止する役目を果たす。１つの実施態様で、ニードルアセンブリは、その位置にカートリッジを係止するのに好適な分離可能な部品を含み、その分離可能な部品は、プライミング後にニードルアセンブリが取り外されたとき、薬物送達デバイス上に残る。分離可能な部品の１つの実施態様は、プライミング後の最初の注射に使用するのに好適であり得るニードルユニットを含む。これは、ニードルアセンブリが、薬物送達デバイスのプライミングに好適であり、同時にニードルユニットを取り付けるのに好適であることを意味する。
【００１３】
薬物送達デバイスは、ピストンロッドを含んでもよい。カートリッジは栓を含んでもよい。一般に、薬物送達デバイスが組み立てられるとき、ピストンロッドの遠位端と栓の間に内部ギャップがある。このギャップは、全ての組み立てられた部品に付随する許容範囲、及び組み立てるデバイスに前もって栓を装填するとカートリッジ内の薬物を加圧するので、前もって栓を装填しないという必要条件の結果である。カートリッジは、針アッセンブリが薬物送達デバイスに取り付けられたとき、栓がピストンロッドに接触できるように、ピストンロッドに対して可動である。それによって、ピストンロッドの遠位端と栓の間のギャップは閉じられる。
【００１４】
ニードルアセンブリは、プライミング工程の間ピストンロッドが栓と接触できるように、カートリッジを押すために好適である。この工程は、栓がカートリッジ内に押込まれそれによって薬物が投与されるようにカートリッジの栓がピストンロッドに向かって移動したとき、カニューレを通してカートリッジから薬物を投与することと一緒に行われればよい。
【００１５】
ユーザーがプライミングの前に薬物を投与することを防止する目的のため、薬物送達デバイスは、ハウジング、カートリッジ及びハウジング及びカートリッジの少なくとも１つの遠位部分に取り付けられる保護部材を含む。保護部材は、プライミング工程中又はプライミング工程後の間は取り外されるように構成される。
【００１６】
薬物送達デバイスに取り付けられる保護部材の存在は、その薬物送達デバイスは未だプライミングされていないことを明確に示す。保護部材の１つの実施態様は、注射のために薬物送達デバイスの使用を防止する。保護部材は、注射に好適なニードルユニットが薬物送達デバイスに取り付けできないように、薬物送達デバイスの遠位端に取り付けられればよい。或いは、保護部材は、駆動機構を妨害してもよい。保護部材の１つの実施態様は、基本的に円筒の形状である。
【００１７】
保護部材の１つの実施態様は、ハウジング及びカートリッジの少なくとも１つの連結手段と解除可能に係合する係合手段を含む。１つの実施態様では、連結手段は、ハウジングの開口部を含み、係合手段は、ハウジングの開口部に内向きに半径方向に伸びるフィンガを含む。係合手段は、ニードルアセンブリが取り付けられている間を意味するプライミング工程の間、連結手段から分離することができる。
【００１８】
ニードルアセンブリは、薬物送達デバイスに取り付けられるように構成され、そのニードルアセンブリは、薬物送達デバイスに取り付け可能なニードルハブ及びカニューレを含むニードルユニットを含む。ニードルユニットは、ニードルハブに解除可能に連結可能である。
【００１９】
ニードルアセンブリは、ニードルユニット及びニードルハブを薬物送達デバイスに取り付ける役目をする。ニードルハブは、ニードルユニットと薬物送達デバイスの間の接続部品として働く。ニードルユニットは、薬物送達デバイスと接続したままであるニードルハブから取り外し可能である。１つの実施態様では、ニードルアセンブリは、ニードルハブに解除可能に連結されるニードルユニットを備える。他の実施態様では、ニードルユニットは、取り付け工程の間、ニードルハブに取り付けられている。ニードルユニットは、カニューレを通して薬物を送達するのに好適である。
【００２０】
１つの実施態様では、ニードルハブ及びニードルユニットは、ねじ連結される。換言すれば、ニードルユニットは、ねじ、好ましくは雌ねじを有し、それはニードルハブのねじ、好ましくは雄ねじと係合する。
【００２１】
１つの実施態様では、ニードルアセンブリは、ニードルユニット及びニードルハブを少なくとも部分的に覆うカバーを含み、そのカバーは、ニードルハブの取り付けの間、ニードルユニット及びニードルハブを支えるために好適である。カバーは、ニードルユニット及びニードルハブを薬物送達デバイスに取り付けるための道具の役目をする。１つの実施態様では、カバーは、少なくとも部分的にカバーの内側に位置するニードルユニット及びニードルハブを保護する。
【００２２】
ニードルアセンブリの１つの実施態様は、カニューレを通して投与される流体を捕捉するのに好適な薬物捕捉手段を含む。薬物捕捉手段は、吸収手段の役目をしてもよい。そのような吸収手段は、スポンジ又は流体吸収顆粒を含んでもよい。
【００２３】
ニードルアセンブリは、ニードルアセンブリが取り付けられるとき、ハウジング及びハウジングに対して近位方向に移動するカートリッジを含む薬物送達デバイスに取り付けることができる。換言すると、ニードルアセンブリは、プライミング道具としての役目をする。薬物送達デバイスは、ニードルアセンブリによってニードルユニット及びニードルハブが取り付けられる間にプライミングされる。
【００２４】
１つの実施態様では、ニードルハブは、薬物送達デバイスと係合するように構成される取り付け手段を含む。取り付け手段の１つの実施態様は、バネ手段として設計される。ニードルアセンブリは、上記のように薬物送達デバイスに取り付け可能であればよい。ニードルアセンブリは、使い捨ての固定又は可変式薬物送達デバイス、例えばペン注射器、と連結して使用することができる。薬物送達デバイスは、投与量の設定及び投与のためのプッシュ・プル機構を有してもよい。ニードルアセンブリは、限定する訳ではないが、使い捨ての固定投与量注射器に適用可能であり、その場合、新しいデバイスのセットアップに関連する使いやすさの問題に遭遇するかも知れない。
【００２５】
ニードルアセンブリの１つの実施態様は、ニードルアセンブリが薬物送達デバイスに取り付けられる間保護部材を取り外すように構成される連結を解除する手段を含む。その連結解除手段は、保護部材を切り離すのに好適である。１つの実施態様では、保護部材は、ニードルユニット及びニードルハブが薬物送達デバイスに取り付けられるとき、保護部材は切り離される。解除手段は、ニードルアセンブリが薬物送達デバイスに取り付けられるとき、保護部材の係合手段を、連結手段との係合から離すように構成されればよい。１つの実施態様では、解除手段は、ニードルハブを薬物送達デバイスと連結させるように構成されるフィンガを含む。これは、ニードルユニット及びニードルハブの搭載は保護部材の分離をもたらすことを意味する。そのフィンガは、薬物送達デバイスと接続可能なバネ手段を有してもよい。
【００２６】
ニードルアセンブリの１つの実施態様は、ニードルアセンブリが薬物送達デバイスに取り付けられるとき、保護部材を少なくとも部分的に受け取るように構成される保持手段を含む。保護部材は、ニードルユニット及びニードルハブの取り付けの間、ニードルアセンブリの中に挿入される。好ましくは、保持手段は、取り外された保護部材を保持するのに適している。１つの実施態様では、カバーは、カバーの空洞として形成されてもよい保持手段を含む。従って、保護部材は、取り外しの後カバー内に留まる。
【００２７】
その他の特徴は、添付図面と併せて検討されるとき、次の詳細な説明から明らかになる。
【００２８】
本明細書で使われる用語の「薬物」は、好ましくは、少なくとも１つの薬学的に活性な化合物を含有する医薬製剤を意味し、
ここで、１つの実施態様では、薬学的に活性な化合物は、１５００Ｄａまでの分子量を有し、及び／又は、ペプチド、タンパク質、多糖、ワクチン、ＤＮＡ、ＲＮＡ、酵素、抗体、ホルモン若しくはオリゴヌクレオチド、又は上述の薬学的に活性な化合物の混合物であり；
ここで、さらなる実施態様では、薬学的に活性な化合物は、糖尿病又は糖尿病性網膜症のような糖尿病に伴う合併症、深部静脈又は肺血栓性塞栓症などの血栓性塞栓性疾患、急性冠症候群（ＡＣＳ）、狭心症、心筋梗塞、癌、黄斑変性症、炎症、花粉症、アテローム性動脈硬化症及び／又は関節リュウマチの処置及び／又は予防のために有用であり；
ここで、さらなる実施態様では、薬学的に活性な化合物は、糖尿病又は糖尿病性網膜症のような糖尿病に伴う合併症の処置及び／又は予防のための少なくとも１つのペプチドを含み；
ここで、さらなる実施態様では、薬学的に活性な化合物は、少なくとも１つのヒトインスリン又はヒトインスリン類似体若しくは誘導体、グルカゴン様ペプチド（ＧＬＰ−１）又はその類似体若しくは誘導体、又はエキセンジン−３若しくはエキセンジン−４又はエキセンジン−３若しくはエキセンジン−４の類似体若しくは誘導体を含む。
【００２９】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；Ｂ２８位におけるプロリンが、Ａｓｐ、Ｌｙｓ、Ｌｅｕ、Ｖａｌ又はＡｌａで代替され、そして、Ｂ２９位におけるＬｙｓは、Ｐｒｏで代替されてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００３０】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００３１】
エキセンジン−４は、例えば、エキセンジン−４（１−３９）、配列がＨ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2のペプチドを意味する。
【００３２】
エキセンジン−４誘導体は、例えば、以下のリストの化合物：
Ｈ−（Ｌｙｓ）４−ｄｅｓＰｒｏ３６，ｄｅｓＰｒｏ３７エキセンジン−４（１−３９）−ＮＨ2、
Ｈ−（Ｌｙｓ）５−ｄｅｓＰｒｏ３６，ｄｅｓＰｒｏ３７エキセンジン−４（１−３９）−ＮＨ2、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−４（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］  エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
ここで、基−Ｌｙｓ６−ＮＨ2は、エキセンジン−４誘導体のＣ−末端と結合してもよく；
又は以下の配列のエキセンジン−４誘導体；
Ｈ−（Ｌｙｓ）６−ｄｅｓＰｒｏ３６［Ａｓｐ２８］エキセンジン−４（１−３９）−Ｌｙｓ６−ＮＨ2、
ｄｅｓＡｓｐ２８，Ｐｒｏ３６，Ｐｒｏ３７，Ｐｒｏ３８エキセンジン−４（１−３９）−ＮＨ2、
Ｈ−（Ｌｙｓ）６−ｄｅｓＰｒｏ３６，Ｐｒｏ３８［Ａｓｐ２８］エキセンジン−４（１−３９）−ＮＨ2、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2、
ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８  ［Ａｓｐ２８］エキセンジン−４（１−３９）−（Ｌｙｓ）６−ＮＨ2、
Ｈ−（Ｌｙｓ）６−ｄｅｓＰｒｏ３６［Ｔｒｐ（Ｏ２）２５，Ａｓｐ２８］  エキセンジン−４（１−３９）−Ｌｙｓ６−ＮＨ2、
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８  ［Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓ  Ｐｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2、
ｄｅｓＭｅｔ（Ｏ）１４，Ａｓｐ２８，Ｐｒｏ３６，Ｐｒｏ３７，Ｐｒｏ３８  エキセンジン−４（１−３９）−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８  ［Ｍｅｔ（Ｏ）１４，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，
Ａｓｐ２８］エキセンジン−４（１−３９）−（Ｌｙｓ）６−ＮＨ2、
Ｈ−Ａｓｎ−（Ｇｌｕ）５，ｄｅｓＰｒｏ３６，Ｐｒｏ３７，Ｐｒｏ３８  ［Ｍｅｔ（Ｏ）１４，Ａｓｐ２８］エキセンジン−４（１−３９）−（Ｌｙｓ）６−ＮＨ2、
Ｈ−Ｌｙｓ６−ｄｅｓＰｒｏ３６［Ｍｅｔ（Ｏ）１４，Ｔｒｐ（Ｏ２）２５，  Ａｓｐ２８］エキセンジン−４（１−３９）−Ｌｙｓ６−ＮＨ2、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2、
Ｈ−（Ｌｙｓ）６−ｄｅｓ  Ｐｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８  ［Ｍｅｔ（Ｏ）１４，Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のエキセンジン−４誘導体のいずれか１つの薬学的に許容される塩若しくは溶媒和物；
から選択される。
【００３３】
ホルモンは、例えば、Rote Liste，ed. 2008, Chapter 50に表示されているような、ゴナドトロピン（フォリトロピン、ルトロピン、絨毛性ゴナドトロピン、メノトロピン）、ソマトロピン（ソマトロピン）、デスモプレシン、テルリプレシン、ゴナドレリン、トレプトレリン、ロイプロレリン、ブセレリン、ナファレリン、ゴセレリンなどの、脳下垂体ホルモン又は視床下部ホルモン又は調節活性ペプチド及びそれらのアンタゴニストである。
【００３４】
多糖類としては、例えば、グルコサミノグリカンのヒアルロン酸、ヘパリン、低分子量ヘパリン又は超低分子量ヘパリン若しくはそれらの誘導体、又はスルホン化された、例えば、上述の多糖類のポリスルホン化形態、及び／又は、薬学的に許容されるそれらの塩がある。ポリスルホン化低分子量ヘパリンの薬学的に許容される塩の例としては、エノキサパリンナトリウム塩がある。
【００３５】
薬学的に許容される塩は、例えば、酸付加塩及び塩基塩がある。酸付加塩としては、例えば、ＨＣｌ又はＨＢｒ塩がある。塩基塩は、例えば、アルカリ又はアルカリ土類金属、例えば、Ｎａ+、又はＫ+、又はＣａ2+から選択されるカチオン、又は、アンモニウムイオンＮ+（Ｒ１）（Ｒ２）（Ｒ３）（Ｒ４）を有する塩であり、ここで、Ｒ１〜Ｒ４は互いに独立に、水素、場合により置換されたＣ１−Ｃ６アルキル基、場合により置換されたＣ２−Ｃ６アルケニル基、場合により置換されたＣ６−Ｃ１０アリール基、又は場合により置換されたＣ６−Ｃ１０ヘテロアリール基を意味する。薬学的に許容される塩の更なる例は、‘Remington's Pharmaceutical Sciences'17.ed., Alfonso R.Gennaro (Ed.), Mark Publishing Company, Easton, Pa., U.S.A.,1985 及び Encyclopedia of Pharmaceutical
Technologyに記載されている。
【００３６】
薬学的に許容される溶媒和物は、例えば、水和物である。
【図面の簡単な説明】
【００３７】
【図１】初回使用前の薬物送達デバイスの実施態様及び薬物送達デバイスのプライミングに好適なニードルアセンブリの三次元断面（cut-away）図を示す。
【図２】薬物送達デバイスのハウジングに取り付けられた保護部材の三次元図を示す。
【図３】シールを含む使用前のニードルアセンブリの三次元図を示す。
【図４】シールを除去した後のニードルアセンブリの三次元図を示す。
【図５】使用前の薬物送達デバイス及びニードルアセンブリの断面図を示す。
【図６】ニードルアセンブリが薬物送達デバイスに取り付けられた、薬物送達デバイス及びニードルアセンブリの断面図を示す。
【図７】ニードルアセンブリが薬物送達デバイスから取り外された、薬物送達デバイス及びニードルアセンブリの断面図を示す。
【発明を実施するための形態】
【００３８】
図１は、初回使用前の薬物送達デバイス２２の実施態様及び薬物送達デバイス２２のプライミングに好適なニードルアセンブリ１０の三次元断面図を示す。
【００３９】
薬物送達デバイス２２は、遠位部分及び近位部分を有するハウジング１を含む。デバイス２２の遠位端は矢印５１で示され、それは薬物送達デバイス１の投与末端に最も近い薬物送達デバイス２２の末端を指す。デバイス２２の近位端は矢印５０で示され、デバイス２２の投与末端から最も離れたデバイス２２の末端を指す。
【００４０】
薬物送達デバイス２２は、固定投与量の注射用に設計されればよい。或いは、薬物送達デバイスは可変投与量の注射用に設計されてもよい。
【００４１】
送達される薬物を含むカートリッジ２は、カートリッジホールダの役目をするハウジング１の遠位部分に設置される。固定投与量の薬物送達デバイスでは、カートリッジ２は多数投与量の流体薬物を含む。１つの実施態様では、カートリッジは、単に単回投与量の薬物を含むだけである。カートリッジ２は、さまざまな流体薬物、例えばグルカゴン様ペプチド−１（ＧＬＰ−１）、ヘパリンなどを送達する薬物送達デバイス２２で使用されてもよい。
【００４２】
カートリッジ２の遠位端は、セプタム３で覆われた開口部を有する。セプタム３は、カニューレによって穿刺することができ、それを通して薬物が放出される。栓４は、カートリッジ２の内側側壁に沿って遠位方向に可動である。
【００４３】
１つの実施態様では、カートリッジ２は使い捨てであり、それは、カートリッジ２がハウジング１から取り除くことができ、新しいカートリッジ２がハウジング１に嵌めることができることを意味する。１つの実施態様では、ハウジング１の遠位及び近位部分は、カートリッジ２を交換するために分解することができる。別の実施態様では、カートリッジホールダの役目をするハウジング１の遠位部分は、ハウジング１の近位部分に恒久的に取り付けられる。カートリッジは、交換するとき、ハウジング１の開口部を通して、ハウジング１からの除去又は挿入がなされればよい。代りの実施態様では、ハウジング１の遠位部分もまた取り外し可能であり、それはカートリッジ１及びハウジング１の遠位部分は交換可能であることを意味する。
【００４４】
薬物送達デバイス２２は、さらに、ハウジング１の内側に位置するピストンロッド５を有する駆動機構（全体は示されない）を含む。駆動機構は、所定の量の薬物がカートリッジ２からカニューレを通して放出できるように、注射する間栓４を移動させるのに好適である。ピストンロッド５は、ハウジング１に対して可動であり、ピストンロッド５がハウジング１に対して遠位方向に動かされる場合、栓４をカートリッジ２の内壁に沿って遠位方向に押すのに好適である。送達される投与量は、投与量設定機構（示されない）によって設定する。投与量を設定した後、その投与量は、ボタン部材（示されない）の動きに反応して送達される。
【００４５】
通常の作動中（図１に示されない）は、カニューレの付いたニードルユニットはカニューレがセプタム３に穿刺できるように薬物送達デバイスの遠位端に取り付けられる。ピストンロッド５の遠位端は栓４に接する。ピストンロッド５がハウジング１に対して遠位方向に所定の距離だけ移動するとき、それによって栓４を遠位方向に所定の距離だけ押し進め、薬物の投与量はカニューレを通して送達される。もし、ピストンロッド５が栓４に接していなかったら、正確な投与量の容量は送達されない可能性がある。
【００４６】
しかし、薬物送達デバイスが組み立てられるとき、一般にピストンロッド５の遠位端と栓４の間に内部ギャップ６がある。ピストンロッド５は、薬物送達デバイス２２の最初の使用前は栓４に接触してなくてもよい。この場合、ピストンロッド５が移動した距離は、栓４が移動した距離と一致しないだろうし、その結果不正確な投与量が送達される。
【００４７】
このギャップ６は、全ての組み立てられた部品に付随する許容範囲、及び組み立てる薬物送達デバイスに前もって栓４を搭載しないという必要条件の結果である。図１は、ピストンロッド５の遠位端と栓４の間のギャップ６を示す。最初の使用前、ピストンロッド５は栓４に対して接しなければならない。このプライミング工程は、薬物送達デバイス２２の最初の使用時の不正確な容量の投与量の送達を防止する。
【００４８】
さらに、薬物送達デバイス２２は、保護部材７を含み、それはハウジング１の遠位端に取り付けられる。ほかの実施態様（示されない）では、保護部材７はカートリッジ２の遠位端に取り付けられる。保護部材７は、人又は動物の体に薬物を注射するために使われる使い捨てのニードルユニットのカートリッジ２への取り付けを防止する。換言すると、もし、保護部材７がハウジング１に取り付けられているなら、薬物送達デバイス２２は注射のために使用できない。
【００４９】
保護部材７のこの実施態様は、主に管の形状を有し、カートリッジ２の遠位端及びセプタム３を取り巻く。保護部材は、ハウジング１の遠位部分に位置する連結手段９と解除可能に係合する係合手段８を含む。ほかの実施態様（示されない）では、連結手段は、カートリッジ２に置かれる。図１に示される実施態様では、係合手段８はフィンガ２６を含み、それはハウジングの開口部２７の内側に半径方向に伸びる。保護部材７は、後で説明するように、保護部材７がニードルアセンブリ１０内のスプライン２０に沿って移動できるように、スロット２５を有する。
【００５０】
図２は、薬物送達デバイス２２のハウジング１に取り付けられた保護部材７の三次元図を示す。さらに、図４は、ハウジング１の遠位部分に切り抜いたように形成された窓２８を示す。カートリッジ２は、その窓２８を通して見ることができる。もしカートリッジ２が透明な素材、例えばガラスで出来ているなら、カートリッジ４内の栓４の位置を見ることができ、それはカートリッジ２内の薬物の液面を示す。
【００５１】
保護手段７は、薬物送達デバイス２２がプライミングされるまで、ユーザーが薬物を投与することを防止する。これは、ユーザーが薬物の最初の投与量を送達する前にプライミング操作を開始せざるを得ないことを確実にする。
【００５２】
保護部材の存在は、薬物送達デバイスが未だ使われていないこと、そして最初の使用前にプライミングが必要であることを示す。
【００５３】
保護手段７は、ハウジング１と相対的に移動できずそして注射に使用されるニードルユニットのカートリッジ２の遠位端への取り付けを阻止するように、ハウジング１の遠位端に外部から取り付けられる。１つの実施態様では、保護手段７は、多くのペン注射器に使われてもよい標準のＡ型ニードルユニットの取り付けを阻止する。
【００５４】
さらに、図１は、薬物送達デバイス２２と分離した、プライミングするニードルアセンブリ１０を示す。ニードルアセンブリ１０は、空洞を有する基本的に管状のキャップとして形成されてもよいカバー１１を含む。カバー１１の空洞は、滅菌シール１２で密封される。
【００５５】
図３は、使用前のニードルアセンブリ１０の三次元図を示し、ここでカバー１１の空洞は滅菌シール１２で密封され、それはユーザーがシール１２を取り除くとき掴むのに好適な耳２３を含む。
【００５６】
図１に戻って三勝すると、ニードルアセンブリ１０もまた、ニードルハブ１４と解除可能に接続するニードルユニット１３を含み、ニードルユニット１３及びニードルハブ１４はカバー１１の空洞の内側に位置する。カバー１１は、ニードルユニット１３及びニードルハブ１４を覆う。シール１２は、カバー１１の近位端に貼られ、ニードルユニット１３及びニードルハブ１４をカバー１１内に封入する働きをする。これは、カバー１１の内容物をユーザーに送達する前に滅菌することを可能にする。
【００５７】
カバー１１は、ニードルユニット１３及びニードルハブ１４を保持し、ニードルユニット１３及びニードルハブ１４を取り付けるための道具として働く。針保持手段は、ニードルアセンブリ１０の主軸に沿った位置にニードルユニット１３及びニードルハブ１４を保持するのに好適である。針保持手段は、ニードルハブ１４上に取り付けられたニードルユニット１３とカバー１１の内側の側壁の間に空間があるように、ニードルユニット１３及びニードルハブ１４を主軸に沿って保持するのに好適なスプライン２０として形成される。スプライン２０は、カバー１１の内側の側壁に沿って伸びる。それらは、ニードルユニット１３及びニードルハブ１４が内側にありながら、保護部材７がカバー１１の空洞の中に挿入することができる様式で配置される。
【００５８】
カバー１１は、カバー１１に対して遠位方向へのニードルユニット１３及びニードルハブ１４の動きを阻止するために好適な停止手段を含む。この実施態様では、停止手段は、カバー１１の遠位端からニードルアセンブリ１０の主軸に沿って伸長する停止シリンダー２４として設計される。停止シリンダー２４の近位端はニードルユニット１３と接する、又はニードルユニット１３の近くに位置する。それでもなお、ニードルユニットのカニューレ１５の遠位部分は停止シリンダー２４の内側に位置する。
【００５９】
ニードルアセンブリ１０は、プライミング工程中に送達される薬物を捕捉するために好適な薬物捕捉手段２１を含む。この実施態様では、薬物捕捉手段２１は、停止シリンダー２４内に置かれたスポンジ挿入物として形成される。１つの実施態様では、スポンジ挿入物はカバー１１の中に固定される。
【００６０】
ニードルユニット１３は、カニューレ１５を含み、それを通して薬物は投与される。ニードルユニット１３の１つの実施態様は、プライミング工程のときにだけ使用される。ニードルユニット１３の１つの実施態様は、プライミング工程後の最初の注射のために使用される。通常、ニードルユニット１３は、無菌性の理由から注射の後に廃棄され、次の投与量の注射の前に新しいニードルユニットが取り付けられる。通常ニードルユニット１３は毎注射後に取り除かれるが、ニードルハブ１４はカートリッジ２上に留まる。
【００６１】
ニードルハブ１４は、ハウジング１の遠位端と接続することができる。一旦ニードルハブ１４がハウジング１に取り付けられてしまうと、ニードルハブ１４は、カートリッジ２の耐用期間ハウジング１上に留まる。注射に使用するニードルユニットは、注射前にニードルハブ１４に取り付けられ、注射後にニードルハブ１４から取り除かれる。
【００６２】
１つの実施態様では、ニードルハブ１４は、ハウジング１に恒久的に取り付けられる。他の実施態様では、ニードルハブ１４は、直接カートリッジ２に取り付けられ、使い果たしたときカートリッジ２と共に廃棄され、それは毎回新しいニードルアセンブリを必要とする。
【００６３】
ニードルハブ１４は、ニードルアセンブリ１０の主軸に沿ってカバー１１の内側に設置され、使い捨てのニードルユニット１３を搭載するための外側螺旋ねじ１７をもつデザインで、基本的にシリンダー状である。押しシリンダー２９は、シリンダー状ニードルハブ１４の内側に設置される。このシリンダー２９は、ニードルアセンブリ１０が取り付けられるとき、カートリッジを押し、それによってカートリッジ２をピストンロッド５に向かって進める。ニードルハブ１４の遠位端の穴は、ニードルハブ１４の内側の内部シリンダー２９を通してカニューレ１５の挿入を可能にする。ニードルハブ１４は、薬物送達デバイスと係合するように構成された取り付け手段を含む。１つの実施態様では、ニードルハブ１４は、ニードルハブ１４の近位端に位置するスナップ式係合手段１６を含み、そのスナップ式係合手段１６は、ニードルハブ１４をカートリッジ２の遠位端に搭載するのに好適である。スナップ式係合手段１６の近位端は、薬物送達デバイス２２のハウジング１から保護部材７を分離するのに好適なアーム３０の形態をとる。ニードルユニット１３及びニードルハブ１４は、カバー１１内の保持のスプライン２０上に、相対的な軸移動はできるが相対的な回転運動は出来ないように、取り付けられる。１つの実施態様では、ニードルユニット１３は溝を有し、そこにスプライン２０が係合する。
【００６４】
ニードルユニット１３は、取り付け台１８を含み、それはニードルハブ１４と解除可能な連結に好適である。シリンダーの形態であってもよい取り付け台１８は、取り付け台１８の内側に沿って位置する雌ねじ１９を含む。雌ねじ１９は、ニードルハブ１４の雄ねじ１７と係合している。
【００６５】
図４は、シール１２を除去した後のニードルアセンブリ１１の三次元図を示し、ここで、カバー１１の内側のスナップ式係合手段１６の付いたニードルハブ１４が見える。
【００６６】
図１を振り返ると、ニードルユニット１３は、ニードルアセンブリ１２の主軸に沿って取り付けられる。カニューレ１５の遠位端は、薬物捕捉手段２１内に位置するが、一方近位端はニードルユニットの取り付け台１８内に位置する。
【００６７】
薬物送達デバイス２２及びニードルアセンブリ１０がユーザーに届けられるとき、保護部材７を含む薬物送達デバイス２２は、ニードルアセンブリ１０と分かれて供給される。薬物送達デバイス２２は、最初の使用の前にプライミングされなければならず、それはピストンロッド５が栓４に接しなければならないことを意味する。
【００６８】
図５は、最初の使用前の薬物送達デバイス及びニードルアセンブリの断面図を示す。参照の数字は、図１におけるのと同じ機能に関係する。
【００６９】
薬物送達デバイス２２とニードルアセンブリ１０が提供されるとき、それはユーザーに届けられる意味であり、薬物送達デバイス２２はニードルアセンブリ１０と別々に供給される。この状態では、保護部材７は、ニードルアセンブリ１０に備えられたニードルハブ１４に取り付けられたニードルユニット１３以外のニードルユニットの取り付け物を阻止する。これは、言い換えると、薬物送達デバイス２２から薬物の投与量がユーザーに投与されることを阻止する。
【００７０】
プライミング工程は、ニードルアセンブリ１０を使って行われる。薬物送達デバイス２２は、ニードルアセンブリ１０が薬物送達デバイス２２に取り付けられた時プライミングされ、それは今から説明する。
【００７１】
最初の使用に先立って、ユーザーは、カバー１１の空洞上に置かれた無菌シール１２を取り除き、それによって、カバー１１の内側に（図４に示されるように）ニードルハブ１３が露出される。
【００７２】
保護部材７がカバー１１の空洞内に挿入されるように、カバー１１は、軸方向にハウジング１の遠位端に向けて押される。カバー１１は保護部材７をはめ込み、カバー１１内のスプライン２０は、軸方向に、保護部材７のスロット２５に入り込む。
【００７３】
また、薬物送達デバイス２２の近位端に向けたカバー１１の軸方向の動きは、カニューレ１５の近位端を押し進めてセプタム３に穿孔し、薬物にカニューレ１５を介する薬物捕捉手段２１との伝達をもたらす。さらに、軸方向の動きは、ニードルハブ１４の内部シリンダー２９にカートリッジ２の遠位端との接触をもたらす。継続した軸方向の運動は、カートリッジ２を駆動機構に対して近位に、栓４が駆動機構のピストンロッド５と接するまで、押し戻す。カートリッジ２が、今や駆動機構と接して静止した栓４に対して軸方向の動きを継続するにつれて、プライミング薬物はカートリッジ２からカニューレ１５を通して薬物捕捉手段２１に押し出され、そこでスポンジ挿入物が薬物を吸収する。プライミング中に投与される薬物は薬物送達デバイス２２内に収容され、プライミングの投与量が誤ってユーザーに注射されないことを確保するようにコントロールされる。薬物は、適切に設計された容器内に安全に入れられる。
【００７４】
図６は、ニードルアセンブリ１０が薬物送達デバイス２２に取り付けられるときの、薬物送達デバイス２２及びニードルアセンブリ１０の断面図を示す。
【００７５】
カバー１１の軸方向の動きの終点で、ニードルハブ１４のスナップ式係合機構１６はハウジング１と恒久的に係合する。同時にニードルハブ１４のアーム３０は、保護部材７をハウジング１と接続するスナップ式係合しているフィンガ２６の下に通し、そしてそれらを半径方向に移動させ、保護手段７をハウジング１から分離させる。これは、保護部材７は、プライミングの投与量が完全に投与されそしてニードルハブ１４が薬物送達デバイスに確保されるまで、薬物送達デバイス２２から取り除くことができないことを確実にする。
【００７６】
引き続き、カバー１１をハウジング１の遠位方向に、軸方向に引く。
【００７７】
図７は、プライミングした後、カバー１１が薬物送達デバイス２２から取り外された薬物送達デバイス及びニードルアセンブリの断面図を示す。
【００７８】
保護部材７及び薬物捕捉手段２１として働くスポンジ挿入物は、カバー１１内に保持される。保護部材は、少なくとも部分的にカバー１１の空洞に置かれ、その空洞は、保護部材７を保持するのに好適な保持手段として働く。保護部材７はカバーに、例えばクリップ又は摩擦によって接続されてもよい。スポンジ挿入物はカバー１１に、例えば摩擦、糊又はクリップによって接続されればよい。
【００７９】
取り付けられたニードルユニット１３の付いたニードルハブ１４は、ハウジング１上に保持される。カバー１１の除去は、ニードルハブ１４に嵌めこまれたそしてハウジング１内の薬物と連通しているニードルユニット１３を露出させ、それ故、薬物送達デバイス２２を、最初の投与量をユーザーに注射する用意ができるようにする。ニードルハブ１４は、ハウジング１に恒久的に取りつけたままにし、必要に応じてさらなるニードルユニットの取り付けに対して準備が整えられる。
【００８０】
要約すると、薬物送達デバイス２２及びニードルアセンブリ１０は、従来の薬物送達デバイスと比べると比較的少数の構成材を有する。デバイス及びニードルアセンブリは、誤ってプライミング投与量を注射するリスクを排除する。ニードルアセンブリ及び保護部材は、いかなる駆動機構及びいかなる薬物送達デバイスにも当て嵌めることができ、それは広範な薬物送達デバイスにとって好適にする。
【００８１】
他の実施は、クレームの範囲内である。異なる実施態様の要素は組み合わせて、本明細書に具体的に記載されない実施を形成してもよい。
【符号の説明】
【００８２】
１  ハウジング；
２  カートリッジ；
３  セプタム；
４  栓；
５  ピストンロッド；
６  ギャップ；
７  保護部材；
８  係合手段；
９  連結手段；
１０  ニードルアセンブリ；
１１  カバー；
１２  シール；
１３  ニードルユニット；
１４  ニードルハブ；
１５  カニューレ；
１６  スナップ式係合機構；
１７  雄ねじ；
１８  取り付け台；
１９  雌ねじ；
２０  スプライン；
２１  薬物捕捉手段；
２２  薬物送達デバイス；
２３  耳；
２４  停止シリンダー；
２５  スロット；
２６  フィンガ；
２７  開口部；
２８  窓；
２９  押しシリンダー；
３０  アーム；
５０，５１  矢印。
【図１】
2013506462.tif 000003
【図２】
2013506462.tif 000004
【図３】
2013506462.tif 000005
【図４】
2013506462.tif 000006
【図５】
2013506462.tif 000007
【図６】
2013506462.tif 000008
【図７】
2013506462.tif 000009
【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
薬物送達システムであって：
近位端及び遠位端を有し、ハウジング（１）、ピストンロッド（５）、及び栓（４）を含んでなり、ピストンロッド（５）に対して可動のカートリッジ（２）を含む薬物送達デバイス（２２）、及び
薬物送達デバイス（２２）に取り付け可能なニードルアセンブリ（１０）、を含んでなり、
ニードルアセンブリ（１０）及び薬物送達デバイス（２２）は、ニードルアセンブリ（１０）が薬物送達デバイス（２２）に取り付けられたとき、カートリッジ（２）がハウジング（１）に対して近位方向に移動することにより栓（４）がピストンロッド（５）に接触するように構成される、上記薬物送達システム。
【請求項２】
ニードルアセンブリ（１０）及び薬物送達デバイス（２２）は、ニードルアセンブリ（１０）が薬物送達デバイス（２２）に取り付けられたとき、ハウジング（１）に対して遠位方向へのカートリッジ（２）の動きが阻止されるように構成されている、請求項１に記載の薬物送達システム。
【請求項３】
ハウジング（１）、カートリッジ（２）及びハウジング（１）及びカートリッジ（２）の少なくとも１つの遠位部分に取り付けられる保護部材（７）を含んでなる薬物送達デバイス（２２）であって、保護部材（７）は、プライミング工程の間又はプライミング工程後は取り外されるように構成され、プライミング工程の間、カートリッジ（２）がハウジング（１）に対して近位方向に移動することによりカートリッジ（２）の栓（４）がピストンロッド（５）と接触する、上記薬物送達デバイス（２２）。
【請求項４】
保護部材（７）が、ハウジング（１）及びカートリッジ（２）の少なくとも１つの連結手段（９）と解除可能に係合される係合手段（８）を含む、請求項３に記載の薬物送達デバイス（２２）。
【請求項５】
連結手段（８）がハウジング（１）の開口部（２７）を含み、そして係合手段（８）がハウジング（１）の開口部（２７）の半径方向内側に伸びるフィンガ（２６）を含む、請求項４に記載の薬物送達デバイス（２２）。
【請求項６】
請求項３〜５のいずれか１項に記載の薬物送達デバイス（２２）に取り付け可能なニードルアセンブリ（１０）であって、
そのニードルアセンブリ（１０）は、薬物送達デバイス（２２）に取り付け可能なニードルハブ（１４）、及びカニューレ（１５）を含むニードルユニット（１３）を含んでなり、そのニードルユニット（１３）は、ニードルハブ（１４）に解除可能に連結可能である、上記ニードルアセンブリ（１０）。
【請求項７】
ニードルアセンブリ（１０）が、少なくとも部分的にニードルユニット（１３）及びニードルハブ（１４）を覆い、ニードルハブ（１４）が取り付けられる間ニードルユニット（１３）及びニードルハブ（１４）を保持するために適したカバー（１１）を含む、請求項６に記載のニードルアセンブリ（１０）。
【請求項８】
ニードルハブ（１４）及びニードルユニット（１３）は、ねじ連結される、請求項６又は７に記載のニードルアセンブリ（１０）。
【請求項９】
カニューレ（１５）を通して投与される流体を捕捉するために適した薬物捕捉手段（２１）を含んでなる、請求項６〜８のいずれか１項に記載のニードルアセンブリ（１０）。
【請求項１０】
ニードルアセンブリ（１０）は、ハウジング（１）、及びニードルアセンブリ（１０）が取り付けられたときハウジング（１）に対して近位方向に動くカートリッジ（２）を含んでなる薬物送達デバイス（２２）に取り付け可能である、請求項６〜９のいずれか１項に記載のニードルアセンブリ（１０）。
【請求項１１】
ニードルハブ（１４）は、薬物送達デバイス（２２）と係合するように構成された取り付け手段（１６）を含む、請求項１０に記載のニードルアセンブリ（１０）。
【請求項１２】
ニードルアセンブリ（１０）の薬物送達デバイス（２２）への取り付け中に、保護部材（７）を取り外すように構成される連結解除手段を含んでなる、請求項６〜１１のいずれか１項に記載のニードルアセンブリ（１０）。
【請求項１３】
ニードルアセンブリ（１０）が薬物送達デバイス（２２）に取り付けられるとき、少なくとも部分的に保護部材（７）を受けるように構成される保持手段を含んでなる、請求項６〜１２のいずれか１項に記載のニードルアセンブリ（１０）。
【請求項１４】
保持手段が、取り外された保護部材（７）を保持するのに適した、請求項１３に記載のニードルアセンブリ（１０）。
【請求項１５】
カバー（１１）が保持手段を含む、請求項１３又は１４に記載のニードルアセンブリ（１０）。
【請求項１６】
ニードルアセンブリ（１０）が薬物送達デバイス（２２）に取り付けられるとき、保護部材（７）の係合手段（８）を、連結手段（９）との係合から外すように構成される解除手段を含んでなる、請求項１３〜１５のいずれか１項に記載のニードルアセンブリ（１０）。
【請求項１７】
解除手段が、ニードルハブ（１４）を薬物送達デバイス（２２）に連結させるように構成されるフィンガを含む、請求項１６に記載のニードルアセンブリ（１０）。
【請求項１８】
ハウジング（１）、ピストンロッド（５）及び栓（４）を備えたカートリッジ（２）を含む薬物送達デバイス（２２）をプライミングする方法であって、ニードルアセンブリ（１０）を薬物送達デバイス（２２）に取り付け、それによってカートリッジ（２）をハウジング（１）に対して近位方向に動かすことにより、栓（４）がピストンロッド（５）に接触する工程を含む、上記方法。
【国際調査報告】
2013506462.tif 000010
2013506462.tif 000011
2013506462.tif 000012
2013506462.tif 000013
2013506462.tif 000014
2013506462.tif 000015